(57)【要約】【課題】コイルなどを樹脂でモールドするステータユニットの樹脂の充填の改良を図る。【解決手段】ステータユニット１は、コイルの一方の端部とコイルの外周部を覆う第１のカップ部材１１０と、第１のカップ部材の開口部に嵌合されてコイルの他方の端部を覆う第２のカップ部材１２０とを備え、第１のカップ部材と第２のカップ部材は嵌合されて、モールド樹脂が注入されるコイルの軸線に直交する方向に突出して開口する樹脂注入口１５０を形成する。コイルのリード線４０は、樹脂注入口１５０から外部へ引き出される。【選択図】図１
2015006052.tif 000002
【特許請求の範囲】
【請求項１】
電動弁や、電磁弁のステータとして機能するコイルと、コイルを収容する樹脂製カップと、カップ内に注入されるモールド樹脂により形成されるステータユニットであって、
樹脂製カップは、コイルの一方の端部とコイルの外周部を覆う第１のカップ部材と、第１のカップ部材の開口部に嵌合されてコイルの他方の端部を覆う第２のカップ部材とを備え、第１のカップ部材と第２のカップ部材とが合体され、モールド樹脂が注入されるコイルの軸線に直交する方向に突出して開口する開口部を形成することを特徴とするステータユニット。
【請求項２】
電動弁や、電磁弁のステータとして機能するコイルと、コイルを収容する樹脂製のカップと、カップ内に注入されるモールド樹脂により形成されるステータユニットであって、
樹脂製のカップは、２つの割り形状の１対のカップ部材によって構成され、モールド樹脂が注入されるコイルの軸線に直交する方向に突出して開口する開口部を形成することを特徴とするステータユニット。
【請求項３】
１対のカップ部材は同一部材を向かい合わせに合体させてなることを特徴とする請求項１又は２記載のステータユニット。
【請求項４】
モールド樹脂が注入される開口部から、コイルに接続されるリード線が引き出されることを特徴とする請求項１〜３記載のステータユニット。
【請求項５】
カップ部材の内側とコイルの外側に形成されるコイルの軸線に直交する平面上のモールド樹脂の流路面積は、左右で非対称となるように形成されることを特徴とする請求項１〜３記載のステータユニット。
【発明の詳細な説明】
【技術分野】
【０００１】
本発明は、電磁弁などに装備されるステータユニットに関する。
【背景技術】
【０００２】
ボビンにコイルを巻回し、それを樹脂でモールドしてステータユニット（コイルモールド装置）としたものが下記の特許文献に開示されている。
【先行技術文献】
【特許文献】
【０００３】
【特許文献１】特開平８−６５９９４号公報
【特許文献２】特開平１０−１３２１２６号公報
【発明の概要】
【発明が解決しようとする課題】
【０００４】
この種のステータユニットは、樹脂製のカップ部材内にコイルユニットを配置して、樹脂を注入してモールド成型される。注入する樹脂は、エポキシやウレタン等のように耐湿性に優れるが高粘性の樹脂が使用される。
そのため、樹脂注入の作業性に問題があり、モールド樹脂の硬化後のバリ取りなどを必要としていた。
本発明の目的は、上述した不具合を解消するステータユニットを提供することである。
【課題を解決するための手段】
【０００５】
本発明のステータユニットは、電動弁や電磁弁のステータとして機能するコイルと、コイルを収容する樹脂製のカップと、カップ内に注入されるモールド樹脂により形成される。
樹脂製のカップは、コイルの一方の端部とコイルの外周部を覆う第１のカップ部材と、第１のカップ部材の開口部に嵌合されてコイルの他方の端部を覆う第２のカップ部材とを備え、第１のカップ部材と第２のカップ部材は嵌合されて、モールド樹脂が注入されるコイルの軸線に直交する方向に突出して開口する開口部を形成する構成を装備している。
【０００６】
樹脂製のカップは、好ましくは、面対称の２つの割り形状のカップ部材を嵌合して形成され、モールド樹脂が注入されるコイルの軸線に直交する方向に突出して開口する開口部を形成する構成を有する。
【０００７】
さらに、モールド樹脂は開口部の端部まで注入される構成、また、モールド樹脂が注入される開口部は、コイルに接続されるリード線が通過する通路を兼ねる構成を有する。
そして、カップ部材の内側とコイルの外側に形成されるコイルの軸線に直交する平面上のモールド樹脂の流路面積は、左右で非対称となるように形成される構成、カップの外面に金属製の回り止め部材がとりつけられる構成を有する。
【発明の効果】
【０００８】
本発明のステータユニットは上記のように、モールド樹脂を注入するカップ容器を２つの部材で構成し、この２つの部材を密閉度高く接合することで、樹脂の漏出を防止する。そして、樹脂の注入口を狭くし、かつ、その液面を制御することでカップ内の機器と完全に一体化したモールド製品を得ることができる。
【図面の簡単な説明】
【０００９】
【図１】本発明の第１実施形態に係るステータユニットの断面図である。
【図２】本発明の同上ステータユニットの上面図である。
【図３】本発明の第２実施形態に係るステータユニットのカップ部材の内部を示す断面図である。
【図４】本発明のステータユニットの第３実施形態における注型方向を示す説明図である。
【図５】本発明のステータユニットの第４実施形態を示し、（ａ）は中央縦断面図、（ｂ）は左側面図、（ｃ）は右側面図である。
【図６】同上ステータユニットに使用される第１のカップ部材を示し、（ａ）は中央縦断面図、（ｂ）は左側面図、（ｃ）は右側面図である。
【図７】図６（ｂ）のＡ−Ａ断面図である。
【図８】本発明のステータユニットの第５実施形態を示し、（ａ）は中央縦断面図、（ｂ）は左側面図、（ｃ）は右側面図である。
【図９】同上第５実施形態のステータユニットの上面図である。
【発明を実施するための形態】
【００１０】
図１及び図２は本発明の第１形態に係るステータユニットを示し、ステータユニット１は樹脂製カップ１００の内部にボビン１０に巻回されたコイル２０を有するステータ３０を収容し、溶融した樹脂Ｐを注入してステータ３０、リード線４０を一体にモールドして製作する。注入する樹脂Ｐは、エポキシやウレタン等の耐湿性に優れるが高粘性の樹脂が使用される。
【００１１】
樹脂製カップ１００は溶融した樹脂Ｐを注入するための樹脂注入口１５０を有し、ステータ３０に接続されるリード線４０はこの樹脂注入口１５０から外部に取り出される。すなわち、リード線４０はこの樹脂注入口１５０から外部へ径方向に引き出される。
ステータ３０の内周面はロータユニットなどが挿入される円筒状の中空部５０を有する。
樹脂製カップ１００は第１のカップ部材１１０と第２のカップ部材１２０の２つの部材で構成される。
【００１２】
本実施例にあっては、樹脂製カップ１００は、カップ形状の第１のカップ部材１１０と、第１のカップ部材１１０の上面に嵌合される蓋状の第２のカップ部材１２０で構成される。
【００１３】
第１のカップ部材１１０と第２のカップ部材１２０の接合部Ｆ1は、第１のカップ部材１１０の内周壁１１４に対して第２のカップ部材１２０の外縁部の内側に設けた脚部１２４を圧入させて形成される。
この構造により注入された樹脂Ｐ1が漏出することはない。
【００１４】
樹脂製カップ１００は、ステータ３０の軸線が水平方向になるように、樹脂注入口１５０の反対側が鉛直方向Ｇ１で下方に位置する姿勢で中空部５０に中子を挿入した状態で樹脂Ｐが注型される。
樹脂製カップ１００の樹脂注入口１５０の上端面の高さ位置は、ステータ３０の収容位置より高い位置に設けてある。
【００１５】
そして、注入される樹脂の液面は、ステータ端子部の上面の高さ位置Ｈ１を十分に覆い得る高い位置に設定される。
この構成により、ステータユニット樹脂製カップ１００内に注入された樹脂Ｐ１はステータ３０の周囲を隙間なく覆い、樹脂により確実にモールドされる。
【００１６】
第２実施形態の樹脂製カップ１００ａの第１のカップ部材２１０の内部形状を示す図３にそって説明する。
第１のカップ部材２１０の内部壁２１１は、樹脂注入口２５０の中心と中空部５０の中心を通る線の左右で異なる形状にしてある。
すなわち、符号Ｒで示す側の内壁２１１は、注型樹脂の流動が円滑に進行するように、均一な円弧で形成される。これに対して符号Ｌで示す側の内壁２１１には、注型樹脂の流動の抵抗となる突部２１１ａ、２１１ｂが設けてある。
【００１７】
したがって、内部にステータ３０を収容した状態で樹脂注入口２５０から樹脂Ｐを注入すると、Ｒ側では大きな矢印Ｐａで示すように樹脂浸入が速くかつ多量に進み、そのため、小さな矢印Ａｂで示すように空気の抜けは小さくなる。
【００１８】
逆にＬ側ではＰｂで示すように突部２１１ａ、２１１ｂの影響を受けて流動抵抗が大であるため、樹脂の浸入は遅くなり、そのため矢印Ａａで示すように空気の抜けは大きくなる。
この作用によって、モールド樹脂Ｐ1はカップ１００ａの底部に空気残りを生ずることなく全体に確実に行き渡り、そのためモールド樹脂Ｐ１は樹脂製カップ１００ａの内部に確実に充填される。
【００１９】
図４は、樹脂製カップ１００ｂの樹脂注入口１５０の反対側の底部１０２を平坦面とした第３実施形態を示す。
この実施形態では、底部１０２は平坦面に形成されているため、樹脂製カップ１００ｂを平坦な治具Ｌ１に置いて自立させることができ、この状態で樹脂注入口１５０から樹脂液Ｐを注入する。底部１０２は平坦面に形成してあるので、樹脂製カップ１００ｂは治具Ｌ１上に安定し、樹脂液Ｐの注入が容易となる。
なお、第１及び第２の実施形態の場合は、図示しない治具（保持手段）を使用して樹脂製カップを起立させておく必要がある。
【００２０】
次に、本発明の第３実施形態について図５を参照して説明すると、樹脂製カップ１００ｃは、第１のカップ部材３１０と第２のカップ部材３２０とで構成され、樹脂注入口３５０を上面に有し、底面３０２は平坦面に形成される。
第１のカップ部材３１０は、中空穴３１２と、第２のカップ部材３２０を対向する端面に、図６（ａ）、（ｂ）に示す複数の突起と複数の穴部３１５を備えており、外面（背面）に図６（ａ）、（ｃ）に示される３本の柱状部３４０を有する。この第１のカップ部材３１０と対をなす第２のカップ部材３２０は、柱状部３４０を有さない点を除いて第１のカップ部材３１０と同一の構成を備える。
【００２１】
そのため、第１のカップ部材３１０と第２のカップ部材３２０とを図５（ａ）のように向かい合わせにしたときに、第１のカップ部材３１０の突起３１３が第２のカップ部材３２０の穴部（図示せず。）に嵌合し、第１のカップ部材の穴部３１５に第２のカップ部材３２０の突起（図示せず。）が嵌合して位置合わせがなされる。
このように第１のカップ部材３１０と第２のカップ部材３２０とを向かい合わせに接合した状態で、その内部空間にステータユニット３０を挿置し、樹脂注入口３５０よりモールド樹脂Ｐ１を注型し、図５の樹脂モールドされたステータユニットが完成する。
この実施形態でもリード線４０は樹脂注入口３５０より外部へ引き出される。
【００２２】
図５（ａ）、（ｃ）に示される回り止め部材５００は金属製の部材であって、第１のカップ部材３１０の外面に設けた柱状部３４０に回り止め部材５００の穴を差し込み、樹脂製の柱状部３４０を溶融させて回り止め部材５００を固定する。
【００２３】
次に本発明の第４実施形態について、図８にそって説明する。
第４実施形態のステータユニットの樹脂製カップ１００ｄの１対のカップ部材４１０は向かい合わせに全く同一の構成を備える。それ故にカップ部材４１０の一方の柱状部４４０（図８（ａ）の左側の柱状部）は無駄に存在することになるが、カップ部材４１０用の金型が一つだけで済み、低コスト化に有効である。
【００２４】
本発明のステータユニットは以上のようにステータの周囲を樹脂により確実にモールドすることができ、また、注型作業も容易に達成される。
【符号の説明】
【００２５】
１  ステータユニット
１０  ボビン
３０  ステータ
４０  リード線
５０  中空部
１００  樹脂製カップ
１１０  第１のカップ部材
１２０  第２のカップ部材
１５０  樹脂注入口（開口部）
【図１】
2015006052.tif 000003
【図２】
2015006052.tif 000004
【図３】
2015006052.tif 000005
【図４】
2015006052.tif 000006
【図５】
2015006052.tif 000007
【図６】
2015006052.tif 000008
【図７】
2015006052.tif 000009
【図８】
2015006052.tif 000010
【図９】
2015006052.tif 000011